(57)【要約】【課題】  シームレスにマルチメディア文書ファイルの生成を行う。【解決手段】  マルチメディア文書ファイルを取得し（Ｓ２）、取得したマルチメディア文書ファイルに関する所定のマルチメディア情報を情報取得指示手段の指示に応じて取得し（Ｓ３〜Ｓ５）、この取得したマルチメディア情報を用いてマルチメディア文書ファイルを作成更新し（Ｓ６）、配信する（Ｓ８）。これにより、マルチメディア文書ファイルを用いて操作者にマルチメディア情報を指示するとともに、同じマルチメディア文書ファイルが提出文書になることで、操作者に対して直感的なマルチメディア情報の取得の指示を行わせることができるとともに、マルチメディア情報とマルチメディア文書ファイルを用いて画像入力装置内で文書生成や文書更新を行って即座にＷｅｂ上へのアップロードなどを行うことができるので、シームレスにマルチメディア文書ファイルの生成を行うことができる。【選択図】    図６
2005092281.tif 000002
【特許請求の範囲】
【請求項１】
マルチメディア情報を取得するマルチメディア情報取得手段と、
マルチメディア文書ファイルを取得する文書取得手段と、
この文書取得手段により取得したマルチメディア文書ファイルに関する所定のマルチメディア情報について、前記マルチメディア情報取得手段による取得を指示する情報取得指示手段と、
この情報取得指示手段の指示に応じて取得された前記マルチメディア情報を用いて、前記文書取得手段により取得した前記マルチメディア文書ファイルを作成更新する文書作成更新手段と、
この文書作成更新手段により作成更新した前記マルチメディア文書ファイルを配信する文書配信手段と、
を備える画像入力装置。
【請求項２】
前記マルチメディア情報取得手段により取得した前記マルチメディア情報、若しくは、前記文書取得手段により取得した前記マルチメディア文書ファイル、または、前記文書作成更新手段により作成更新した前記マルチメディア文書ファイルを再生する再生手段を備える、
請求項１記載の画像入力装置。
【請求項３】
前記マルチメディア情報と前記マルチメディア文書ファイルとを一元的に管理する文書管理手段を備える、
請求項１または２記載の画像入力装置。
【請求項４】
前記文書管理手段は、前記マルチメディア情報と前記マルチメディア文書ファイルとを単一ファイルにカプセル化することで一元的に扱う、
請求項３記載の画像入力装置。
【請求項５】
前記文書管理手段は、前記マルチメディア情報と前記マルチメディア文書ファイルとこれらの前記マルチメディア情報及び前記マルチメディア文書ファイルを閲覧するプログラムとを単一ファイルにカプセル化する、
請求項４記載の画像入力装置。
【請求項６】
前記文書管理手段は、ＵＲＬ（Uniform Resource Locator）を用いて前記マルチメディア情報と前記マルチメディア文書ファイルとを一元的に扱う、
請求項３記載の画像入力装置。
【請求項７】
前記文書管理手段は、ＭＨＴＭＬ（MIME Encapsulation of Aggregate HTML）形式を用いて前記マルチメディア情報と前記マルチメディア文書ファイルとを一元的に扱う、
請求項３記載の画像入力装置。
【請求項８】
前記情報取得指示手段は、前記文書取得手段により取得した前記マルチメディア文書ファイルに格納されているマルチメディア情報項目を取得し、このマルチメディア情報項目を表示部に表示させる、
請求項１ないし７のいずれか一記載の画像入力装置。
【請求項９】
前記情報取得指示手段は、前記文書取得手段により取得した前記マルチメディア文書ファイルに格納されている情報取得条件を取得して、前記マルチメディア情報取得手段による前記マルチメディア情報の取得に際して当該情報取得条件を設定する、
請求項１ないし８のいずれか一記載の画像入力装置。
【請求項１０】
前記マルチメディア情報取得手段により取得した前記マルチメディア情報を編集する編集手段を備える、
請求項１ないし９のいずれか一記載の画像入力装置。
【請求項１１】
前記文書取得手段により取得した前記マルチメディア文書ファイルを編集する文書編集手段を備える、
請求項１ないし１０のいずれか一記載の画像入力装置。
【請求項１２】
前記文書作成更新手段により作成更新した前記マルチメディア文書ファイルを別の文書フォーマットに変換するフォーマット変換手段を備える
請求項１ないし１１のいずれか一記載の画像入力装置。
【請求項１３】
前記フォーマット変換手段は、前記マルチメディア文書ファイルの保存・配布方法にあわせてフォーマットを変換する、
請求項１２記載の画像入力装置。
【請求項１４】
前記マルチメディア文書ファイルに格納されている作成者情報を抽出する情報抽出手段と、
この情報抽出手段により抽出した前記作成者情報を、前記マルチメディア情報取得手段により取得した前記マルチメディア情報に埋め込む情報埋め込み手段と、
を備える、
請求項１ないし１３のいずれか一記載の画像入力装置。
【請求項１５】
前記情報埋め込み手段は、電子透かしを用いる、
請求項１４記載の画像入力装置。
【請求項１６】
マルチメディア情報を挿入する部分に関して、ファイル名のみをセットし、もしくは、仮ファイルを用意したマルチメディア文書ファイルを生成する文書ファイル生成手段を備える情報処理装置。
【請求項１７】
前記仮ファイルには、マルチメディア情報項目や情報取得条件などの撮影指示情報を保持している
請求項１６記載の情報処理装置。
【発明の詳細な説明】
【技術分野】
【０００１】
本発明は、画像入力装置及び情報処理装置に関する。
【背景技術】
【０００２】
現在、画像や動画、音声といった様々な種類の膨大な数の電子データがＷｅｂで公開されており、画像などを撮影する装置としてデジタルカメラが一般的になっている。また、オフィスなどで扱う文書においても電子化が当たり前の時代であり、その内容も単なるテキストだけでなく、図や画像、動画、音声といったマルチメディアの情報が使われるようになってきている。このような場合においても、マルチメディア情報としてデジタルカメラで撮影された画像や動画等を使う機会が増えてきている。
【０００３】
このようにデジタルカメラで撮影された画像、動画、音声などのコンテンツは、単に閲覧されるだけにとどまらず、電子文書に使用される機会が多くなっている。また、事故証明などのための現場撮影にデジタルカメラを用いるケースも増えてきており、デジタルカメラで撮影された画像等のコンテンツを用いた文書を作成する機会は今後ますます増えていくものと考えられる。
【０００４】
しかしながら、デジタルカメラは撮影するのが主な機能である。そのため、デジタルカメラで撮影した画像などのコンテンツを用いて文書を作成するには、別途、文書をユーザがパーソナルコンピュータ上で作成し、そのレイアウトにあわせて画像の大きさなどを調整する必要があるため、文書を作成するにあたっては煩雑な面が多い。また、必要以上に高解像度で撮影したり、逆に必要な解像度が得られていない画像を使わなければならなくなったりといった問題も生じる。
【０００５】
一方、近年、通信機能付きのデジタルカメラやデジタルカメラ付きの携帯電話などが登場し、撮影する機能と通信機能の両方が装備された製品が登場している。このような通信機能付きのデジタルカメラ等には、撮影データをすぐにサイトなどにアップロードできる機能を持つものもある。
【０００６】
ところが、このような機能を有しているデジタルカメラ等であっても、機器内で文書をうまく生成できないために、一旦、パーソナルコンピュータに転送して、データの加工をし、文書の作成を行ってから、アップロード、提出などを行わなければならないといった不便な状況にある。すなわち、撮影データをすぐにサイトなどにアップロードできる機能付きのデジタルカメラ等であっても、撮影したデータを電子メールに添付して送付する程度の使用に留まっている。
【０００７】
つまり、Ｗｅｂに公開する文書中にデジタルカメラで撮影した画像を使用したい場合には、画像をデジタルカメラから取り出すとともに文書を開き、文書に画像を挿入するなどの処理を行わなければならない。
【０００８】
そこで、このような問題を解決すべく、デジタルカメラ内で、撮影したコンテンツを使用した文書を簡単に作成する従来技術がいくつか提案されている。例えば特許文献１には、あらかじめテンプレートを用意し、デジタルカメラに転送しておき、撮影した静止画像をその場で容易にＨＴＭＬファイル化できるデジタルカメラ装置が提案されている。
【０００９】
【特許文献１】特開２００２−２０４３８１公報
【発明の開示】
【発明が解決しようとする課題】
【００１０】
ところが、特許文献１のデジタルカメラ装置によれば、ＨＴＭＬファイル形式をとっているために文書内容と画像とが分かれてしまい、作成した文書を転送などして使用する際に、ファイルすべてを指定しなければならなかったり、フォルダごと指定しなければならなかったりするため、文書の扱いが不便であるという問題がある。
【００１１】
本発明は、シームレスにマルチメディア文書ファイルの生成を行うことを目的とする。
【課題を解決するための手段】
【００１２】
請求項１記載の発明の画像入力装置は、マルチメディア情報を取得するマルチメディア情報取得手段と、マルチメディア文書ファイルを取得する文書取得手段と、この文書取得手段により取得したマルチメディア文書ファイルに関する所定のマルチメディア情報について、前記マルチメディア情報取得手段による取得を指示する情報取得指示手段と、この情報取得指示手段の指示に応じて取得された前記マルチメディア情報を用いて、前記文書取得手段により取得した前記マルチメディア文書ファイルを作成更新する文書作成更新手段と、この文書作成更新手段により作成更新した前記マルチメディア文書ファイルを配信する文書配信手段と、を備える。
【００１３】
したがって、取得したマルチメディア文書ファイルに関する所定のマルチメディア情報が情報取得指示手段の指示に応じて取得され、この取得されたマルチメディア情報を用いてマルチメディア文書ファイルが作成更新されて配信される。これにより、マルチメディア文書ファイルを用いて操作者にマルチメディア情報を指示するとともに、同じマルチメディア文書ファイルが提出文書になることで、シームレスにマルチメディア文書ファイルの生成を行うことが可能になる。
【００１４】
請求項２記載の発明は、請求項１記載の画像入力装置において、前記マルチメディア情報取得手段により取得した前記マルチメディア情報、若しくは、前記文書取得手段により取得した前記マルチメディア文書ファイル、または、前記文書作成更新手段により作成更新した前記マルチメディア文書ファイルを再生する再生手段を備える。
【００１５】
したがって、取得したマルチメディア情報や、取得または更新したマルチメディア文書ファイルを再生して操作者が確認することが可能になる。
【００１６】
請求項３記載の発明は、請求項１または２記載の画像入力装置において、前記マルチメディア情報と前記マルチメディア文書ファイルとを一元的に管理する文書管理手段を備える。
【００１７】
したがって、マルチメディア情報とマルチメディア文書ファイルとを一元的に扱えるようにし、操作者のマルチメディア文書ファイルの扱いを容易にすることが可能になる。
【００１８】
請求項４記載の発明は、請求項３記載の画像入力装置において、前記文書管理手段は、前記マルチメディア情報と前記マルチメディア文書ファイルとを単一ファイルにカプセル化することで一元的に扱う。
【００１９】
したがって、カプセル化することによって、マルチメディア情報とマルチメディア文書ファイルとを一元的に扱えるようにし、操作者のマルチメディア文書ファイルの扱いを容易にすることが可能になる。
【００２０】
請求項５記載の発明は、請求項４記載の画像入力装置において、前記文書管理手段は、前記マルチメディア情報と前記マルチメディア文書ファイルとこれらの前記マルチメディア情報及び前記マルチメディア文書ファイルを閲覧するプログラムとを単一ファイルにカプセル化する。
【００２１】
したがって、閲覧プログラムも含めてカプセル化することによって、マルチメディア情報とマルチメディア文書ファイルとを一元的に扱えるようにし、操作者のマルチメディア文書ファイルの扱いを容易にすることが可能になるとともに、環境を問わずにそのマルチメディア文書ファイルを閲覧することが可能になる。
【００２２】
請求項６記載の発明は、請求項３記載の画像入力装置において、前記文書管理手段は、ＵＲＬ（Uniform Resource Locator）を用いて前記マルチメディア情報と前記マルチメディア文書ファイルとを一元的に扱う。
【００２３】
したがって、ＵＲＬの情報を利用してマルチメディア情報とマルチメディア文書ファイルとを一元的に扱えるようにし、操作者のマルチメディア文書ファイルの扱いを容易にすることが可能になる。
【００２４】
請求項７記載の発明は、請求項３記載の画像入力装置において、前記文書管理手段は、ＭＨＴＭＬ（MIME Encapsulation of Aggregate HTML）形式を用いて前記マルチメディア情報と前記マルチメディア文書ファイルとを一元的に扱う。
【００２５】
したがって、ＭＨＴＭＬ形式を用いてマルチメディア情報とマルチメディア文書ファイルとを一元的に扱えるようにし、操作者のマルチメディア文書ファイルの扱いを容易にすることが可能になる。
【００２６】
請求項８記載の発明は、請求項１ないし７のいずれか一記載の画像入力装置において、前記情報取得指示手段は、前記文書取得手段により取得した前記マルチメディア文書ファイルに格納されているマルチメディア情報項目を取得し、このマルチメディア情報項目を表示部に表示させる。
【００２７】
したがって、操作者に対してマルチメディア情報項目の指示を行なうことが可能になる。
【００２８】
請求項９記載の発明は、請求項１ないし８のいずれか一記載の画像入力装置において、前記情報取得指示手段は、前記文書取得手段により取得した前記マルチメディア文書ファイルに格納されている情報取得条件を取得して、前記マルチメディア情報取得手段による前記マルチメディア情報の取得に際して当該情報取得条件を設定する。
【００２９】
したがって、マルチメディア情報の取得に際しての情報取得条件の自動設定を行なうことが可能になる。
【００３０】
請求項１０記載の発明は、請求項１ないし９のいずれか一記載の画像入力装置において、前記マルチメディア情報取得手段により取得した前記マルチメディア情報を編集する編集手段を備える。
【００３１】
したがって、取得したマルチメディア情報を編集することが可能になる。
【００３２】
請求項１１記載の発明は、請求項１ないし１０のいずれか一記載の画像入力装置において、前記文書取得手段により取得した前記マルチメディア文書ファイルを編集する文書編集手段を備える。
【００３３】
したがって、デジタルカメラ等の画像入力装置上でマルチメディア文書ファイルの編集を行なうことが可能になる。
【００３４】
請求項１２記載の発明は、請求項１ないし１１のいずれか一記載の画像入力装置において、前記文書作成更新手段により作成更新した前記マルチメディア文書ファイルを別の文書フォーマットに変換するフォーマット変換手段を備える。
【００３５】
したがって、別の文書フォーマットに変換することが可能になるので、利便性を高めることが可能になる。
【００３６】
請求項１３記載の発明は、請求項１２記載の画像入力装置において、前記フォーマット変換手段は、前記マルチメディア文書ファイルの保存・配布方法にあわせてフォーマットを変換する。
【００３７】
したがって、E-mailで転送するときはＭＨＴＭＬ形式というように、配布にあわせて適切なフォーマットに自動的に変換されるようにすることで利便性を高めることが可能になる。
【００３８】
請求項１４記載の発明は、請求項１ないし１３のいずれか一記載の画像入力装置において、前記マルチメディア文書ファイルに格納されている作成者情報を抽出する情報抽出手段と、この情報抽出手段により抽出した前記作成者情報を、前記マルチメディア情報取得手段により取得した前記マルチメディア情報に埋め込む情報埋め込み手段と、を備える。
【００３９】
したがって、取得したマルチメディア文書ファイル中から作成者情報が取得され、その作成者情報がマルチメディア情報に埋め込まれることにより、コンテンツの保護が可能になる。
【００４０】
請求項１５記載の発明は、請求項１４記載の画像入力装置において、前記情報埋め込み手段は、電子透かしを用いる。
【００４１】
したがって、取得したマルチメディア文書ファイル中から作成者情報が取得され、その作成者情報がマルチメディア情報に電子透かしとして埋め込まれることにより、コンテンツの保護が可能になる。
【００４２】
請求項１６記載の発明の情報処理装置は、マルチメディア情報を挿入する部分に関して、ファイル名のみをセットし、もしくは、仮ファイルを用意したマルチメディア文書ファイルを生成する文書ファイル生成手段を備える。
【００４３】
したがって、ダミーファイルを用いて操作者に対する各種指示を行ったり、各種条件の自動設定ができるようにすることが可能になる。
【００４４】
請求項１７記載の発明は、請求項１６記載の情報処理装置において、前記仮ファイルには、マルチメディア情報項目や情報取得条件などの撮影指示情報を保持している。
【００４５】
したがって、ダミーファイルを用いて操作者にマルチメディア情報項目の指示を行ったり、マルチメディア情報の取得に際しての情報取得条件の自動設定ができるようにすることが可能になる。
【発明の効果】
【００４６】
本発明によれば、マルチメディア文書ファイルを用いて操作者にマルチメディア情報を指示するとともに、同じマルチメディア文書ファイルが提出文書になることで、操作者に対して直感的なマルチメディア情報の取得の指示を行わせることができるとともに、マルチメディア情報とマルチメディア文書ファイルを用いて画像入力装置内で文書生成や文書更新を行って即座にＷｅｂ上へのアップロードなどを行うことができるので、シームレスにマルチメディア文書ファイルの生成を行うことができる。
【発明を実施するための最良の形態】
【００４７】
本発明の第一の実施の形態を図１ないし図９に基づいて説明する。
【００４８】
[１．本実施の形態のシステム構成の説明]
図１は、本実施の形態のシステムを示す概略構成図である。図１に示すように、本実施の形態のシステムは、ＵＳＢ（Universal Serial Bus）等の通信ケーブルＣを介し、情報処理装置であるパーソナルコンピュータ（以下、単にコンピュータと呼ぶ）Ａと、画像入力装置であるデジタルカメラＢとが接続されている。
【００４９】
[１−１．コンピュータＡの説明]
まず、情報処理装置であるコンピュータＡについて説明する。図２は、コンピュータＡのハードウェア構成を概略的に示すブロック図である。コンピュータＡは、情報処理を行うＣＰＵ（Central Processing Unit）２と、ＢＩＯＳ（Basic Input Output System）等を格納するＲＯＭ（Read Only Memory）３と、情報を処理中に一時的に格納するＲＡＭ（Random Access Memory）４等の記憶部と、処理結果等を保存するＨＤＤ（Hard Disk Drive）５等の記憶部と、情報を外部に保管又は配布し若しくは情報を外部から入手するための記憶媒体であるメディアＭに対して各種データを記録・読取可能なドライブ６と、デジタルカメラＢと通信するための通信ケーブルＣに接続するための通信インタフェース８と、処理経過や処理結果等をユーザに表示するディスプレイ９と、操作者がコンピュータＡに命令や情報等を入力するためのキーボード１０やマウス１１等の入力装置とから構成され、これらの間のデータ通信をバスコントローラ７が調停して動作している。なお、通信インタフェース８は、デジタルカメラＢとの通信のみに用いるものではなく、図示しないプリンタ等との通信にも利用可能である。また、通信インタフェース８の接続形態は、通信ケーブルＣ（例えばＵＳＢケーブル）等の通信線を用いたケーブル接続だけでなく、赤外線などを利用したワイヤレス接続であっても良い。
【００５０】
なお、メディアＭとしては、フレキシブルディスク、ハードディスク、磁気テープ等のような磁気的な記憶媒体、ＭＯのような光磁気的な記憶媒体、ＣＤ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＡＭ、ＤＶＤ−ＲＷ、ＤＶＤ＋ＲＷ等のような光学的な記憶媒体、半導体メモリ等、各種の記憶媒体が適用できる。
【００５１】
データ送信は、コンピュータＡの通信インタフェース８へとデータを送ることにより、通信インタフェース８が通信ケーブルＣへと信号を出力する。また、通信インタフェース８が受け取った信号については、通信インタフェース８において必要かどうかの判断がなされ、必要なデータであれば取り込み、不必要であれば破棄する、というような処理が行われる。すなわち、あらゆるデータの送受信は、すべて通信インタフェース８を経由して行われることになる。
【００５２】
一般的に、このようなコンピュータＡではユーザが電源を投入すると、ＣＰＵ２はＲＯＭ３内のＢＩＯＳに含まれるローダーというプログラムを起動させ、ＨＤＤ５からオペレーティング・システムという当該コンピュータＡのハードウェアとソフトウェアとを管理するプログラムをＲＡＭ４に読み込む。オペレーティング・システムは起動すると、ユーザの操作に応じてアプリケーション・プログラムの起動、情報の読み込み、保存等をサポートする。代表的なオペレーティング・システムはＷindows（Ｍicrosoft Corporationの登録商標）等である。これらのオペレーティング・システム上で走るプログラムが、通常アプリケーション・プログラムと呼ばれている。
【００５３】
[１−２．デジタルカメラＢの説明]
次に、画像入力装置であるデジタルカメラＢについて説明する。図３はデジタルカメラＢのハードウェア構成を概略的に示すブロック図、図４はその外観構成を示す概略斜視図である。
【００５４】
図３に示すように、画像入力装置であるデジタルカメラＢは、概略的には、信号処理部１２と、メモリ制御部１３と、主制御部１４と、フレームメモリ１５と、インタフェース１６と、表示部１７と、情報を外部に保管又は配布し若しくは情報を外部から入手するための記憶媒体であるメディアＭに対して各種データを記録・読取可能な外部記憶部１８と、撮影モード設定部１９と、撮像部２０と、タッチパネル２７と、操作部２８と、マイク２９とを備える。そして、撮像部２０はレンズ２１と、絞り２２と、シャッタ２３と、光電変換素子２４と、前処理部２５とを含む。
【００５５】
ここで、信号処理部１２は、前処理部２５、メモリ制御部１３、主制御部１４及びインタフェース１６に接続されている。また、メモリ制御部１３は、フレームメモリ１５に接続されている。さらに、主制御部１４は、メモリ制御部１３、撮影モード設定部１９及びマイク２９に接続されている。なお、マイク２９は、アナログ−デジタル変換器（Ａ／Ｄ変換器）３０を介して主制御部１４に接続されている。また、フレームメモリ１５は、メモリ制御部１３に接続されている。インタフェース１６は、表示部１７、外部記憶部１８、タッチパネル２７及び操作部２８に接続されている。また、インタフェース１６には、コンピュータＡと通信するための通信ケーブルＣも接続される。
【００５６】
一方、撮像部２０においては、レンズ２１と絞り２２、シャッタ２３、光電変換素子２４が光軸上でこの順に配置され、光電変換素子２４は前処理部２５に接続されている。撮像部２０の光電変換素子２４には、例えばＣＣＤ（Charge Coupled Device）が使用されている。また、前処理部２５にはプリアンプや自動利得制御回路（Auto Gain Control−ＡＧＣ）等からなるアナログ信号処理部やアナログ−デジタル変換器（Ａ／Ｄ変換器）が備えられ、光電変換素子２４より出力されたアナログ映像信号に対して、増幅やクランプ等の前処理が施された後、上記アナログ映像信号がデジタル映像信号に変換される。
【００５７】
信号処理部１２は、デジタル信号処理プロセッサ（ＤＳＰプロセッサ）等により構成され、画像圧縮機能を有するとともに、撮像部２０において得られたデジタル映像信号に対して色分解、ホワイトバランス調整、γ補正など種々の画像処理を施す。
【００５８】
メモリ制御部１３は、このようにして処理された画像信号をフレームメモリ１５へ格納したり、逆にフレームメモリ１５に格納された画像信号を読出したりする処理を行う。
【００５９】
主制御部１４は、当該デジタルカメラＢの各部を集中的に制御するＣＰＵ（Central Processing Unit）、このＣＰＵが使用する各種制御プログラムなどを記憶したＲＯＭ（Read Only Memory）、ワークエリアとなるＲＡＭ（Random Access Memory）を有するマイクロコンピュータ構成のものである。なお、ＲＯＭに格納されている制御プログラムに代えて、図４に示すように当該制御プログラムを格納したメディアＭをデジタルカメラＢの外部記憶部１８に装着し、デジタルカメラＢのＣＰＵに当該制御プログラムを実行させるようにしても良い。また、フレームメモリ１５は少なくとも２枚の画像を格納し、一般的にはＶＲＡＭ，ＳＲＡＭ，ＤＲＡＭ等の半導体メモリが使用される。
【００６０】
ここで、フレームメモリ１５から読出された画像信号は、信号処理部１２において画像圧縮等の信号処理が施された後、インタフェース１６を介して外部記憶部１８に保存される。この外部記憶部１８はインタフェース１６を介して供給される画像信号などの種々の信号を読み書きし、ＩＣメモリカードや光磁気ディスク等により構成される。ここで外部記憶部１８として、モデムカードやＩＳＤＮカードが使用されれば、ネットワークを経由して画像信号を直接遠隔地の記録媒体に送信することもできる。
【００６１】
ところで、外部記憶部１８に保存される画像ファイルは、Ｅｘｉｆ（Exchangeable Image File Format）ファイル形式である。このＥｘｉｆファイル形式は、図５に示すように、撮影した画像データであるＪＰＥＧ画像（無圧縮であればＴＩＦＦ形式）、ＴＩＦＦ形式で記録されている付加情報、撮影時に録音された音声データであるＷＡＶファイル等を記録することが可能なファイル形式である。なお、付加情報として記録されるデータとしては、デジタルカメラＢのメーカ名・機種名・デジタルカメラソフトのバージョン・露出プログラムモード・測光モード・絞り値・開放絞り値・シャッタ速度・焦点距離・合焦距離・露出補正値・ISO感度値・日時・光源判別・ストロボの使用・サムネイル画像などのデータがある。
【００６２】
また、逆に外部記憶部１８に記録された画像信号の読出しは、インタフェース１６を介して信号処理部１２へ画像信号が送信され、信号処理部１２において画像伸長が施されることによって行われる。一方、外部記憶部１８及びフレームメモリ１５から読出された画像信号の表示は、信号処理部１２において画像信号に対してデジタル−アナログ変換（Ｄ／Ａ変換）や増幅などの信号処理を施した後、インタフェース１６を介して表示部１７に送信することにより行われる。ここで、表示部１７は、インタフェース１６を介して供給された画像信号に応じて画像を表示し、例えばデジタルカメラＢの筐体に設置されたＬＣＤ（Liquid Crystal Display）により構成される。
【００６３】
また、デジタルカメラＢは、外観的には、図４に示すように、電源スイッチ３１、シャッタ３２、ファインダ３３、撮影モード設定部１９に撮影モードを設定するための撮影モード設定キー３４、表示部１７に表示された画像を上下方向にスクロールさせるためのスクロールキー３５，３６、決定キー３７等を備えている。なお、シャッタ３２、撮影モード設定キー３４、スクロールキー３５，３６、決定キー３７は、前述した操作部２８を構成するものである。
【００６４】
[２．コンピュータＡが備える特長的な機能の説明]
次に、コンピュータＡのＨＤＤ５に格納されたアプリケーション・プログラムがＣＰＵ２に実行させる機能について説明する。本実施の形態においては、コンピュータＡが備える特長的な機能であるＨＴＭＬ形式のマルチメディア文書作成処理について説明する。
【００６５】
[２−１．ＨＴＭＬ形式のマルチメディア文書作成処理]
ＨＴＭＬ（Hyper Text Markup Language）は、文章の論理構造を記述するための言語であって、“＜”“＞”に囲まれたタグと呼ばれる命令を使って記述される。本実施の形態のコンピュータＡには、アプリケーション・プログラムの１つとして周知のＨＴＭＬエディタがインストールされている。このＨＴＭＬエディタによれば、ワードプロセッサと類似した操作によって、タグを意識して記述することなく簡単にＨＴＭＬ形式のテキストファイルを作成することができる。コンピュータＡにおいては、ベースとなるＨＴＭＬ形式のマルチメディア文書ファイルがＨＴＭＬエディタを用いて作成される。
【００６６】
本実施の形態のマルチメディア文書作成処理においては、マルチメディア情報（画像、動画、音声などのコンテンツ）を挿入する部分に関しては、ファイル名のみセットしておくか、もしくは、仮のファイル（ダミーファイル）を用意する。仮のファイル（ダミーファイル）には、撮影対象やデジタルカメラＢの設定などの情報を入れておけるようにしても良い。これらの設定情報は、例えばＥｘｉｆファイルに入れておくことが可能である。仮のファイルのフォーマットとしてＥｘｉｆファイル形式を採用し、撮影項目や撮影条件などの情報をダミーの画像ファイルに入れておくことで、デジタルカメラＢはＥｘｉｆファイルの内容に基づいて撮影項目を表示したり、デジタルカメラＢの設定自体を自動設定することが可能である。ここに、文書ファイル生成手段の機能が実行される。
【００６７】
以上のようにして作成されたマルチメディア文書ファイルは、デジタルカメラＢに対して通信ケーブルＣ又はネットワークを介して転送される。
【００６８】
[３．デジタルカメラＢが備える特長的な機能の説明]
次に、デジタルカメラＢのＲＯＭに格納されている制御プログラムがＣＰＵに実行させる機能について説明する。本実施の形態においては、デジタルカメラＢが備える特長的な機能について説明する。
【００６９】
[３−１．マルチメディア文書配信処理]
図６は、マルチメディア文書配信処理の流れを示すフローチャートである。マルチメディア文書配信処理は、撮影モード設定キー３４により撮影モード設定部１９がマルチメディア文書配信モードに設定されることによりマルチメディア文書ファイルの取得が宣言されると（ステップＳ１のＹ）、Ｅｘｉｆファイルであるマルチメディア文書ファイルを取得する（ステップＳ２：文書取得手段）。マルチメディア文書ファイルは、ＵＳＢ等の通信ケーブルＣを介して接続されているコンピュータＡから取得するものであっても良いし、モデムカード等によりネットワークを経由してＷｅｂ上に設置されているコンピュータＡから取得するものであっても良いし、Ｅｘｉｆファイルであるマルチメディア文書ファイルを記憶したメディアＭを外部記憶部１８にセットして取得するものであっても良い。
【００７０】
次いで、取得したマルチメディア文書ファイルから撮影指示情報（撮影項目や撮影条件などの情報）を取得し（ステップＳ３：情報取得指示手段）、取得した撮影項目や撮影条件などを表示部１７に表示するとともに取得した撮影項目や撮影条件などを設定する（ステップＳ４）。
【００７１】
なお、マルチメディア文書ファイル中に撮影指示情報（撮影項目や撮影条件などの情報）が格納されていない場合には、操作部２８を操作することにより、撮影項目や撮影条件などを設定する（ステップＳ４）。
【００７２】
撮影項目や撮影条件などの設定が終了すると撮影モード設定部１９が撮影モードに移行し、ユーザによるシャッタ３２の操作による画像、動画、音声などのマルチメディア情報の取得、ユーザによる決定キー３７による所望の画像、動画、音声などのマルチメディア情報の確定を許容する。ここに、マルチメディア情報取得手段が実現されている。より具体的には、画像を取得する場合は、ユーザによるシャッタ３２の操作に応じて、ＣＣＤ２４に結像された像を前処理部２５によりＡ／Ｄ変換等して取り込むことによって取得し、音声を取得する場合は、マイク２９から入力されたデータをＡ／Ｄ変換器３０によりＡ／Ｄ変換して取得し、動画を撮影する場合はＣＣＤ２４からの映像信号とマイク２９からの音声信号を記録する。
【００７３】
このようにして画像、動画、音声などのマルチメディア情報が取得されると（ステップＳ５）、このマルチメディア情報を用いてステップＳ２で取得したマルチメディア文書ファイルを更新する文書更新処理が実行される（ステップＳ６：文書作成更新手段）。より具体的には、上述したように撮影したマルチメディア情報が確認され、必要に応じて編集がなされて内容が確定されると、該当するファイルのダミーファイルとの置き換えが実行される。ダミーファイルがなければ、該当するファイル名にして該当するsrcタグから保存先を確定する。なお、撮影したマルチメディア情報や、取得または更新したマルチメディア文書ファイルを表示部１７に表示させる（再生手段）ことで、操作者に確認させるようにしても良い。
【００７４】
文書更新処理の終了後、続けて撮影する場合は（ステップＳ７のＮ）、再び撮影項目や撮影条件などを設定し（ステップＳ４）、画像、動画、音声などのマルチメディア情報の取得に待機する（ステップＳ５）。
【００７５】
一方、撮影を終了する場合は（ステップＳ７のＹ）、マルチメディア文書ファイルを配信して処理を終了する（ステップＳ８：文書配信手段）。マルチメディア文書ファイルの配信は、メディアＭにマルチメディア文書ファイルを記憶して配信したり、ネットワーク経由でＷｅｂ上にアップロードしたり、E-mailに添付して送信することにより行われる。
【００７６】
[３−１．マルチメディア文書更新配信処理]
図７は、マルチメディア文書更新配信処理の流れを示すフローチャートである。マルチメディア文書更新配信処理は、撮影モード設定キー３４により撮影モード設定部１９がマルチメディア文書更新配信モードに設定されることによりマルチメディア文書ファイルの検索が宣言されると（ステップＳ１１のＹ）、デジタルカメラＢのフレームメモリ１５もしくは外部記憶部１８内のメディアＭに保存されているマルチメディア文書ファイルの検索を行う（ステップＳ１２）。
【００７７】
デジタルカメラＢのフレームメモリ１５もしくは外部記憶部１８内のメディアＭに保存されているマルチメディア文書ファイルがある場合には（ステップＳ１３のＹ）、その一覧を表示部１７に表示する（ステップＳ１４）。図８は、一覧表示されたマルチメディア文書ファイルのタイトルを例示的に示す正面図である。
【００７８】
このように表示部１７にマルチメディア文書ファイルが一覧表示されている状態で、操作者によりタッチパネル２７を介して所望のマルチメディア文書ファイルが選択されると（ステップＳ１５のＹ）、撮影項目を表示部１７に表示して設定する（ステップＳ１６）。図９は、一覧表示された撮影項目を例示的に示す正面図である。このような撮影項目は、Ｅｘｉｆファイルであるマルチメディア文書ファイルに情報がある場合には、そこから情報を抽出して表示する。マルチメディア文書ファイルに情報がない場合には、ＨＴＭＬ文書のsrcタグからファイル名を抽出して表示する。
【００７９】
一方、デジタルカメラＢのフレームメモリ１５もしくは外部記憶部１８内のメディアＭに保存されているマルチメディア文書ファイルがない場合や（ステップＳ１３のＮ）、マルチメディア文書ファイルの選択をキャンセルする場合には（ステップＳ１７のＹ）、そのまま処理を終了する。
【００８０】
このようにして撮影項目や撮影条件などの設定が終了すると撮影モード設定部１９が撮影モードに移行し、ユーザによるシャッタ３２の操作による画像、動画、音声などのマルチメディア情報の取得、ユーザによる決定キー３７による所望の画像、動画、音声などのマルチメディア情報の確定を許容する。
【００８１】
このようにして画像、動画、音声などのマルチメディア情報が取得されると（ステップＳ１８）、このマルチメディア情報を用いてステップＳ１５で選択したマルチメディア文書ファイルを更新する文書更新処理が実行される（ステップＳ１９）。
【００８２】
文書更新処理の終了後、続けて撮影する場合は（ステップＳ２０のＮ）、再び撮影項目や撮影条件などを設定し（ステップＳ１６）、画像、動画、音声などのマルチメディア情報の取得に待機する（ステップＳ１８）。
【００８３】
一方、撮影を終了する場合は（ステップＳ２０のＹ）、マルチメディア文書ファイルを配信して処理を終了する（ステップＳ２１）。マルチメディア文書ファイルの配信は、メディアＭにマルチメディア文書ファイルを記憶して配信したり、ネットワーク経由でＷｅｂ上にアップロードしたり、E-mailに添付して送信することにより行われる。
【００８４】
このように、デジタルカメラＢ内のマルチメディア文書ファイルを表示部１７に一覧表示させ（図９参照）、配信するマルチメディア文書ファイルを操作者に指定させ、配信の指示を受けた場合には、関連するデータをまとめて転送することで、ＨＴＭＬ文書のような要素がばらばらになる文書も一元的に扱うことが可能である。なお、撮影したデータを選択してそのデータのみを転送するモードももちろん用意する。
【００８５】
本実施の形態によれば、マルチメディア文書ファイルを作成していくに当たって、一度作成したマルチメディア文書ファイルを作成しなおしたり、内容を更新したり、途中経過を公開しつつマルチメディア文書ファイルを作成していったりということも可能である。つまり、Ｗｅｂ上に公開しているマルチメディア文書ファイルをデジタルカメラＢで取得し、撮影しなおし、再びＷｅｂ上で公開するといったことも容易にできる。本実施の形態によれば、Ｗｅｂ上で公開している文書の形式（この場合ではＨＴＭＬ）とデジタルカメラＢ内での文書形式が同じなため、例えばユーザがＰＣ上で体裁を整えたりすることなく、そのまま、ＷｅｂとデジタルカメラＢをシームレスにマルチメディア文書ファイルを行き来させ、文書の更新を行うことが可能である。
【００８６】
また、このような場合には、ＵＲＬ（Uniform Resource Locator）を基本情報としてマルチメディア文書ファイルと撮影データを文書管理手段により一元管理することが可能である。ＨＴＭＬにおいてリンクを指定する場合は、絶対パスか相対パスのいずれかであるので、文書公開ＵＲＬとパスから判断し、文書公開ＵＲＬを基本のＵＲＬとして他の文書要素も関連付けて管理することが可能である。
【００８７】
さらに、ＭＨＴＭＬ（MIME Encapsulation of Aggregate HTML）というファイル形式で一元的にファイル群を管理するという手段もある。ＭＨＴＭＬ形式は、“Encapsulation”（カプセル化）という言葉が示すように、画像ファイルなどを使用したＨＴＭＬメールやＷｅｂページで、１ページ分の関連ファイルをすべて１つのファイルに埋め込むことができるようにしたものである。このようなＭＨＴＭＬ形式を用いれば、マルチメディア文書ファイルと撮影データとを１つのファイルとして扱えるため、管理が容易になる。
【００８８】
ここに、マルチメディア文書ファイルを用いて操作者にマルチメディア情報を指示するとともに、同じマルチメディア文書ファイルが提出文書になることで、操作者に対して直感的なマルチメディア情報の取得の指示を行わせることができるとともに、マルチメディア情報とマルチメディア文書ファイルを用いて画像入力装置内で文書生成や文書更新を行って即座にＷｅｂ上へのアップロードなどを行うことができるので、シームレスにマルチメディア文書ファイルの生成を行うことが可能になる。
【００８９】
次に、本発明の第二の実施の形態を図１０ないし図１６に基づいて説明する。なお、本発明の第一の実施の形態において説明した部分と同一部分については同一符号を用い、説明も省略する。
【００９０】
本実施の形態は、カプセル化文書を格納したメディアＭをデジタルカメラＢの外部記憶部１８に装着し、デジタルカメラＢのＣＰＵに当該カプセル化文書内のプログラムを実行させるようにしたものである。
【００９１】
ここで、カプセル化文書について図１０を参照して簡単に説明する。図１０に示すように、カプセル化文書は、文書ファイル、画像ファイル、動画ファイルなどのコンテンツとともにそれらを閲覧するための文書ビューワプログラム、画像ビューワプログラム、動画ビューワプログラムが一つのファイルになっており、文書構造を構造ファイルで定義する構造になっている。すなわち、コンテンツ（文書ファイル、画像ファイル、動画ファイル）とともにそのコンテンツを閲覧するためのプログラム（文書ビューワプログラム、画像ビューワプログラム、動画ビューワプログラム）を文書中に含む構造になっているので、環境を問わずにどこでも閲覧できるという特長を持つ（例えば、特開２００３−０１５９４１公報参照）。各ビューワは、Ｊａｖａ（登録商標）で実装することにより、アプレットとして動作させ、ブラウザで閲覧することも可能である。カプセル化文書の形式上、文書を１つのファイルとして扱えるため、ＨＴＭＬ文書の場合に問題になる文書要素がばらばらになるという問題も生じない。また、図１０に示した構造では、各ビューワを用意しているが、これらは必ずしも必要なものではない。逆に、単なるビューワに限らず、文書に通信機能を持たせるような機能拡張も可能である。
【００９２】
ここで、文書を定義する構造ファイルについて詳述する。この構造ファイルのフォーマットはＸＭＬ（eXtensible Markup Language）である。例えば、図１１に示したようなレイアウトの構造ファイルは、図１２に示すようなＸＭＬ文書で表すことができる。この構造ファイルをデジタルカメラＢ内のプログラムが解釈することにより、図９に示したような撮影項目をデジタルカメラＢの表示部１７に表示することができる。より具体的には、図１２中のimageタグやmovieタグをプログラムが読むと、その属性値などから、撮影の対象や撮影方法などを指示することが可能になる。
【００９３】
このようにＸＭＬはプログラムが処理するのに適したフォーマットであるため、この構造ファイルを用いると、いろいろな設定が容易にできる。つまり、前述したＥｘｉｆファイルに設定情報を埋め込むように、ＸＭＬ文書（構造ファイル）に記述することも可能である。例えば図１２中のcomment属性は、被写体に関する情報である。ＸＭＬ文書に記述することによって、プログラムは容易に内容を取得することができるため、自動設定も容易である。
【００９４】
ところで、ＸＭＬは、図１２に示すようにtextやimage、movieタグの属性としてレイアウト情報を設定することができ、ＸＭＬにより文書レイアウトが記述されているため、他文書フォーマットへの変換も行うことができる。例えば、ＨＴＭＬやＳＶＧ（Scalable Vector Graphics）、ＰＤＦ（Portable Document Format）などは仕様が公開されているためＸＭＬ文書のレイアウト情報、撮影したコンテンツを利用しての作成が可能である。
【００９５】
ここで、図１３はフォーマット変換処理の流れを概略的に示すフローチャートである。カプセル化文書の構造ファイルに基づく文書一覧（図６参照）を表示部１７に表示し（ステップＳ３１）、この文書一覧から操作者によりタッチパネル２７を介して所望の文書が選択されると（ステップＳ３２のＹ）、表示部１７に機能選択画面を表示する（ステップＳ３３）。図１４は、機能選択画面を例示的に示す正面図である。図１４に示すように、機能選択画面には、文書に対する指示が一覧表示される。
【００９６】
この表示部１７に表示された機能選択画面から操作者によりタッチパネル２７を介して「文書変換」が選択されると（ステップＳ３４のＹ）、表示部１７にフォーマット選択画面を表示する（ステップＳ３５）。図１５は、フォーマット選択画面を例示的に示す正面図である。
【００９７】
なお、機能選択画面から操作者によりタッチパネル２７を介して「文書変換」以外が選択されると（ステップＳ３４のＮ、ステップＳ４１のＮ）、他の機能動作を実行し、機能選択画面から操作者によりタッチパネル２７を介して「キャンセル」が選択されると（ステップＳ４１のＹ）、ステップＳ３１に戻る。
【００９８】
この表示部１７に表示されたフォーマット選択画面から操作者によりタッチパネル２７を介して所望のフォーマットが選択されると（ステップＳ３６のＹ）、選択されたフォーマットに変換するフォーマット変換処理を実行する（ステップＳ３７：フォーマット変換手段）。
【００９９】
ここで、フォーマット変換処理について詳述する。図１６は、フォーマット変換処理の流れを概略的に示すフローチャートである。図１６に示すように、操作者によって選択された文書のＸＭＬ文書を読み込み（ステップＳ５１）、レイアウト情報とコンテンツ情報を取得する（ステップＳ５２）。次に、必要なコンテンツのコピーを行い（メモリ不足時はコピーしないオプションも用意）、該当するフォーマットのテンプレートとコンテンツを用いて文書を生成する（ステップＳ５３〜Ｓ５５）。
【０１００】
ステップＳ３７のフォーマット変換処理によりフォーマット変換された文書は、デジタルカメラＢのフレームメモリ１５もしくは外部記憶部１８内のメディアＭに保存され（ステップＳ３８）、配信の必要がある場合には（ステップＳ３９のＹ）、マルチメディア文書ファイルを配信して処理を終了する（ステップＳ４０）。マルチメディア文書ファイルの配信は、メディアＭにマルチメディア文書ファイルを記憶して配信したり、ネットワーク経由でＷｅｂ上にアップロードしたり、E-mailに添付して送信することにより行われる。
【０１０１】
このように、操作者が所望の文書フォーマットを選択できることによって、文書を提出する際の利便性が増す。
【０１０２】
なお、本実施の形態においては、ＸＭＬ文書を前提として述べたが、ＨＴＭＬ文書でもそのレイアウト情報は取得できるため、上記のように他文書への変換を行うことができる。また、E-mailの添付ファイルで送信するにはＭＨＴＭＬが適しており、文書提出用にはＰＤＦが適しているように、用途に合わせた文書フォーマットの変換を自動的に行うことも可能である。さらに、操作者が自分の用途に合わせて一度設定すると、次回からはE-mail添付の時にはＰＤＦというように、その設定したフォーマットに自動的に変換するようにするのも可能である。
【０１０３】
また、図１２に示したようなカプセル化文書の構造ファイルには、authorタグに作成者の名前が記述されている。この情報を読み取って撮影した画像（Ｅｘｉｆファイル）に入力したり（情報抽出手段、情報埋め込み手段）、電子透かしとして埋め込む情報埋め込み手段を用意して情報を埋め込むことができる。なお、電子透かしを埋め込む情報埋め込み手段は、周知技術を利用することができるので、ここでの説明は省略する。このように作成者の名前を電子透かしとして埋め込むことにより、コンテンツの保護も行うことができる。なお、電子透かしを抽出する情報抽出手段は、文書を取得し、撮影指示を行う際に実現できるのでそちらで兼ねても問題ない。したがって、撮影ごとに情報抽出を行っているが、最初に文書を読み込んだ時点で情報を抽出しておいても良い。
【０１０４】
ここに、閲覧プログラムも含めてカプセル化することによって、マルチメディア情報とマルチメディア文書ファイルとを一元的に扱えるようにし、操作者のマルチメディア文書ファイルの扱いを容易にすることが可能になるとともに、環境を問わずにそのマルチメディア文書ファイルを閲覧することが可能になる。
【０１０５】
なお、デジタルカメラＢにおいて画像、動画、音声などのマルチメディア情報を編集できる編集手段を備えるようにしても良い。通常、画像はデジタルカメラＢの表示部１７で確認し、問題があれば即座にその場で撮り直しが可能であるが、撮り直しせずにコントラストだけを調整したりしたい場合もある。また、動画や音声は、ある程度長い時間を記録するため、実際に使用する箇所をそこから抜粋したい場合が多い。そこで、これらの撮影データを編集する手段を用意する。操作者が編集しようとするデータが画像の場合は、編集メニューで「明るさ」、「コントラスト」、「色調整」、「フォーマット変換」などを用意する。また、撮影データが動画や音声だった場合は、再生させながらユーザに対して「開始点」と「終了点」を指定させるようにする。また、「圧縮」や「フォーマット変換」などの機能を追加しても良い。
【０１０６】
また、画像、動画、音声などのマルチメディア情報の編集のみでなく、デジタルカメラＢ内でマルチメディア文書ファイル自体を編集することができる文書編集手段を備えるようにしても良い。例えば、図８に示したような表示部１７に表示された文書選択画面からマルチメディア文書ファイルを選択し、図１４に示したような文書に対する指示が一覧表示された機能選択画面を表示部１７に表示させる。この機能選択画面から操作者によりタッチパネル２７を介して「文書編集」が選択されると、編集モードで表示部１７に文書が表示されるので、表示部１７上をタッチパネル２７を介してポイントして画像の大きさを調整したり、マイク２９からの入力される音声により音声認識を行ってテキスト化したり、タッチパネル２７を利用して文字認識を行うことによりテキスト入力することにより、文書の編集が可能である。また、別途キーボード（図示せず）を用意（付加）して文書の編集を行えるようにしても良い。
【図面の簡単な説明】
【０１０７】
【図１】本発明の第一の実施の形態のシステムを示す概略構成図である。
【図２】コンピュータのハードウェア構成を概略的に示すブロック図である。
【図３】デジタルカメラのハードウェア構成を概略的に示すブロック図である。
【図４】その外観構成を示す概略斜視図である。
【図５】Ｅｘｉｆファイル形式を示す説明図である。
【図６】マルチメディア文書配信処理の流れを示すフローチャートである。
【図７】マルチメディア文書更新配信処理の流れを示すフローチャートである。
【図８】一覧表示されたマルチメディア文書ファイルのタイトルを例示的に示す正面図である。
【図９】一覧表示された撮影項目を例示的に示す正面図である。
【図１０】本発明の第二の実施の形態のカプセル化文書のデータ構造を示す模式図である。
【図１１】文書レイアウトの一例を示す説明図である。
【図１２】図１１に示す文書レイアウトをＸＭＬ文書で表した説明図である。
【図１３】フォーマット変換処理の流れを概略的に示すフローチャートである。
【図１４】機能選択画面を例示的に示す正面図である。
【図１５】フォーマット選択画面を例示的に示す正面図である。
【図１６】フォーマット変換処理の流れを概略的に示すフローチャートである。
【符号の説明】
【０１０８】
Ａ      情報処理装置
Ｂ      画像入力装置
【図１】
2005092281.tif 000003
【図２】
2005092281.tif 000004
【図３】
2005092281.tif 000005
【図４】
2005092281.tif 000006
【図５】
2005092281.tif 000007
【図６】
2005092281.tif 000008
【図７】
2005092281.tif 000009
【図８】
2005092281.tif 000010
【図９】
2005092281.tif 000011
【図１０】
2005092281.tif 000012
【図１１】
2005092281.tif 000013
【図１２】
2005092281.tif 000014
【図１３】
2005092281.tif 000015
【図１４】
2005092281.tif 000016
【図１５】
2005092281.tif 000017
【図１６】
2005092281.tif 000018